(57)【要約】【課題】会議に参加する各参加者に同じ空間や、同じ距離感、同じ方向性を共有している感覚を持たせる。【解決手段】テレビ会議端末装置２ａ，２ｂは、他地点のテレビ会議端末装置から送信された画像と音声を受信する受信部３ａ，３ｂと、受信部で受信された画像を表示するディスプレイ装置４ａ，４ｂと、画像を撮影するカメラ５ａ，５ｂと、音声を集音するマイク６ａ，６ｂと、受信部で受信された音声を出力するスピーカ７ａ，７ｂと、カメラで撮影された画像とマイクで集音された音声を他地点のテレビ会議端末装置に送信する送信部８ａ，８ｂとを備える。ディスプレイ装置とカメラとの間に会議の参加者が入り得る空間が形成されるように、ディスプレイ装置とカメラとが対向して配置される。【選択図】  図１
2006339832.tif 000002
【特許請求の範囲】
【請求項１】
複数の地点を画像と音声で結ぶテレビ会議システムにおいて、
各地点にテレビ会議端末装置が配置され、
各テレビ会議端末装置は、
他地点のテレビ会議端末装置から送信された画像と音声を受信する受信部と、
この受信部で受信された画像を表示するディスプレイ装置と、
画像を撮影するカメラと、
音声を集音するマイクと、
前記受信部で受信された音声を出力するスピーカと、
前記カメラで撮影された画像と前記マイクで集音された音声を他地点のテレビ会議端末装置に送信する送信部とを備え、
前記複数の地点のうち１地点のテレビ会議端末装置において、前記ディスプレイ装置と前記カメラとの間に会議の参加者が入り得る空間が形成されるように、前記１地点のディスプレイ装置とカメラとが対向して配置されることを特徴とするテレビ会議システム。
【請求項２】
請求項１記載のテレビ会議システムにおいて、
全地点のテレビ会議端末装置において、それぞれ前記ディスプレイ装置と前記カメラとの間に会議の参加者が入り得る空間が形成されるように、前記ディスプレイ装置と前記カメラとが対向して配置されることを特徴とするテレビ会議システム。
【請求項３】
複数の地点を画像と音声で結ぶテレビ会議システムにおいて、
各地点にテレビ会議端末装置が配置され、
各テレビ会議端末装置は、
他地点のテレビ会議端末装置から送信された画像と音声を受信する受信部と、
この受信部で受信された画像を表示するディスプレイ装置と、
画像を撮影するカメラと、
音声を集音するマイクと、
前記受信部で受信された音声を出力するスピーカと、
前記カメラで撮影された画像と前記マイクで集音された音声を他地点のテレビ会議端末装置に送信する送信部とを備え、
前記複数の地点のうち１地点のテレビ会議端末装置は、前記ディスプレイ装置と前記カメラとの組を複数組有し、この複数組が会議の参加者が入り得る空間を囲むように配置され、他地点のテレビ会議端末装置から送信された画像を前記複数組のディスプレイ装置のうちのいずれかに表示するように切り替え可能であることを特徴とするテレビ会議システム。
【請求項４】
請求項３記載のテレビ会議システムにおいて、
全地点のテレビ会議端末装置は、それぞれ前記ディスプレイ装置と前記カメラとの組を複数組有し、この複数組が会議の参加者が入り得る空間を囲むように配置され、他地点のテレビ会議端末装置から送信された画像を前記複数組のディスプレイ装置のうちのいずれかに表示するように切り替え可能であることを特徴とするテレビ会議システム。
【請求項５】
請求項３記載のテレビ会議システムにおいて、
前記１地点のテレビ会議端末装置における前記ディスプレイ装置と前記カメラとの組は、多角形の各辺の少なくとも一部を形成するように配置されることを特徴とするテレビ会議システム。
【請求項６】
請求項４記載のテレビ会議システムにおいて、
全地点のテレビ会議端末装置における前記ディスプレイ装置と前記カメラとの組は、多角形の各辺の少なくとも一部を形成するように配置されることを特徴とするテレビ会議システム。
【請求項７】
複数の地点を画像と音声で結ぶテレビ会議システムにおいて各地点に配置されるテレビ会議端末装置であって、
他地点のテレビ会議端末装置から送信された画像と音声を受信する受信部と、
この受信部で受信された画像を表示するディスプレイ装置と、
画像を撮影するカメラと、
音声を集音するマイクと、
前記受信部で受信された音声を出力するスピーカと、
前記カメラで撮影された画像と前記マイクで集音された音声を他地点のテレビ会議端末装置に送信する送信部とを備え、
前記ディスプレイ装置と前記カメラとの間に会議の参加者が入り得る空間が形成されるように、前記ディスプレイ装置と前記カメラとが対向して配置されることを特徴とするテレビ会議端末装置。
【発明の詳細な説明】
【技術分野】
【０００１】
本発明は、複数の地点を画像と音声で結ぶテレビ会議システムおよびテレビ会議端末装置に関するものである。
【背景技術】
【０００２】
従来のテレビ会議システムとしては、例えば特許文献１、特許文献２に開示されたものがある。特許文献１に開示されたテレビ会議システムは、オフィス等における広いオープンスペースの一隅に、例えば背景パネル体を設置し、このパネル体の対向面にカメラと表示器を配置すると共に、これらの間にテーブルを配置することにより、周囲と視覚的にも心理的にも十分に仕切られた感じを呈するテレビ会議用のスペースを形成しようとするものである。
【０００３】
一方、特許文献２に開示されたテレビ会議システムは、参加者の正面映像の他に、この参加者を斜めから撮影した映像を並べて表示することにより、あたかも全参加者が同じ作業現場にいて共同作業をしている状況に近い雰囲気を得ようとするものである。
【０００４】
【特許文献１】特開平０６−１４１３１８号公報
【特許文献２】特開平０７−１５４７６３号公報
【発明の開示】
【発明が解決しようとする課題】
【０００５】
特許文献１に開示されたテレビ会議システムでは、会議参加者の顔あるいは上半身が見えていさえすれば、表示器をどこに配置してもよいが、このような表示器の配置方法では、異なる地点にいる参加者の間で距離感や方向性が全く異なってしまうという問題点があった。この距離感や方向性の相違は動きの殆どない会議の場合は支障がないが、遠くに座っている第三者の方を指差したり、会議スペース内で移動したりするような動作に対しては、各参加者はお互いに同じ空間を共有して共同作業をしているようには感じられない。
【０００６】
また、特許文献２に開示されたテレビ会議システムでは、あるテレビ会議参加者に対して、他の参加者を映し出すディスプレイの置く位置や角度によって、他の参加者の向きが自然に見えるように表示するが、特許文献１のテレビ会議システムと同様に、異なる地点にいる参加者の間で距離感や方向性が全く異なってしまうという問題点があった。したがって、特許文献２に開示されたテレビ会議システムにおいても、各参加者はお互いに同じ空間を共有して共同作業をしているようには感じられない。
【０００７】
本発明は、上記課題を解決するためになされたもので、会議に参加する各参加者に同じ空間や、同じ距離感、同じ方向性を共有している感覚を持たせることができるテレビ会議システムおよびテレビ会議端末装置を提供することを目的とする。
【課題を解決するための手段】
【０００８】
本発明は、複数の地点を画像と音声で結ぶテレビ会議システムにおいて、各地点にテレビ会議端末装置が配置され、各テレビ会議端末装置は、他地点のテレビ会議端末装置から送信された画像と音声を受信する受信部と、この受信部で受信された画像を表示するディスプレイ装置と、画像を撮影するカメラと、音声を集音するマイクと、前記受信部で受信された音声を出力するスピーカと、前記カメラで撮影された画像と前記マイクで集音された音声を他地点のテレビ会議端末装置に送信する送信部とを備え、前記複数の地点のうち１地点のテレビ会議端末装置において、前記ディスプレイ装置と前記カメラとの間に会議の参加者が入り得る空間が形成されるように、前記１地点のディスプレイ装置とカメラとが対向して配置されるようにしたものである。
また、本発明のテレビ会議システムの１構成例は、全地点のテレビ会議端末装置において、それぞれ前記ディスプレイ装置と前記カメラとの間に会議の参加者が入り得る空間が形成されるように、前記ディスプレイ装置と前記カメラとが対向して配置されるようにしたものである。
【０００９】
また、本発明のテレビ会議システムは、各地点にテレビ会議端末装置が配置され、各テレビ会議端末装置は、他地点のテレビ会議端末装置から送信された画像と音声を受信する受信部と、この受信部で受信された画像を表示するディスプレイ装置と、画像を撮影するカメラと、音声を集音するマイクと、前記受信部で受信された音声を出力するスピーカと、前記カメラで撮影された画像と前記マイクで集音された音声を他地点のテレビ会議端末装置に送信する送信部とを備え、前記複数の地点のうち１地点のテレビ会議端末装置は、前記ディスプレイ装置と前記カメラとの組を複数組有し、この複数組が会議の参加者が入り得る空間を囲むように配置され、他地点のテレビ会議端末装置から送信された画像を前記複数組のディスプレイ装置のうちのいずれかに表示するように切り替え可能であることを特徴とするものである。
また、本発明のテレビ会議システムの１構成例において、全地点のテレビ会議端末装置は、それぞれ前記ディスプレイ装置と前記カメラとの組を複数組有し、この複数組が会議の参加者が入り得る空間を囲むように配置され、他地点のテレビ会議端末装置から送信された画像を前記複数組のディスプレイ装置のうちのいずれかに表示するように切り替え可能であることを特徴とするものである。
また、本発明のテレビ会議システムの１構成例において、前記１地点のテレビ会議端末装置における前記ディスプレイ装置と前記カメラとの組は、多角形の各辺の少なくとも一部を形成するように配置されるものである。
また、本発明のテレビ会議システムの１構成例において、全地点のテレビ会議端末装置における前記ディスプレイ装置と前記カメラとの組は、多角形の各辺の少なくとも一部を形成するように配置されるものである。
【００１０】
また、本発明は、複数の地点を画像と音声で結ぶテレビ会議システムにおいて各地点に配置されるテレビ会議端末装置であって、他地点のテレビ会議端末装置から送信された画像と音声を受信する受信部と、この受信部で受信された画像を表示するディスプレイ装置と、画像を撮影するカメラと、音声を集音するマイクと、前記受信部で受信された音声を出力するスピーカと、前記カメラで撮影された画像と前記マイクで集音された音声を他地点のテレビ会議端末装置に送信する送信部とを備え、前記ディスプレイ装置と前記カメラとの間に会議の参加者が入り得る空間が形成されるように、前記ディスプレイ装置と前記カメラとが対向して配置されるようにしたものである。
【発明の効果】
【００１１】
本発明によれば、ディスプレイ装置とカメラとを対向させて配置し、さらにマイクとスピーカを配置しており、参加者がいる空間の画像と音声を相互に送信して出力する。参加者はディスプレイ装置を背にしてテレビ会議に参加する。これにより、各参加者はディスプレイ装置に表示された他の参加者と同じ方向を向くので、自分の前面の空間を他の参加者と共有しているように感じ、他の参加者と同じ距離感、同じ方向性を共有することができる。
【００１２】
また、本発明では、ディスプレイ装置とカメラとの組を複数組設け、この複数組を会議の参加者が入り得る空間を囲むように配置することにより、参加者が内側の空間を移動することができるようになり、各参加者が共有している空間を増やすことができる。また、本発明では、他地点のテレビ会議端末装置から送信された画像を複数組のディスプレイ装置のうちのいずれかに表示するように切り替え可能とすることにより、同方向会議と対面会議のどちらかを選択して切り替えることができる。
【発明を実施するための最良の形態】
【００１３】
［第１の実施の形態］
以下、本発明の実施の形態について図面を参照して説明する。図１は、本発明の第１の実施の形態となるテレビ会議システムの構成を示すブロック図である。本実施の形態のテレビ会議システムは、２つの部屋１ａと１ｂを相互に結ぶものであり、部屋１ａに配置されたテレビ会議端末装置２ａと、部屋１ｂに配置されたテレビ会議端末装置２ｂとから構成される。
【００１４】
テレビ会議端末装置２ａは、テレビ会議端末装置２ｂから送信された画像と音声を受信する受信部３ａと、受信部３ａで受信された画像を表示するディスプレイ装置４ａと、ディスプレイ装置４ａとの間に会議の参加者が入り得る空間が形成されるように、ディスプレイ装置４ａと対向して配置されたカメラ５ａと、部屋１ａ内の音声を集音するマイク６ａと、受信部３ａで受信された音声を出力するスピーカ７ａと、カメラ５ａで撮影された画像とマイク６ａで集音された音声をテレビ会議端末装置２ｂに送信する送信部８ａとを備えている。
【００１５】
テレビ会議端末装置２ｂは、テレビ会議端末装置２ａから送信された画像と音声を受信する受信部３ｂと、受信部３ｂで受信された画像を表示するディスプレイ装置４ｂと、ディスプレイ装置４ｂとの間に会議の参加者が入り得る空間が形成されるように、ディスプレイ装置４ｂと対向して配置されたカメラ５ｂと、部屋１ｂ内の音声を集音するマイク６ｂと、受信部３ｂで受信された音声を出力するスピーカ７ｂと、カメラ５ｂで撮影された画像とマイク６ｂで集音された音声をテレビ会議端末装置２ａに送信する送信部８ｂとを備えている。
【００１６】
部屋１ａのカメラ５ａは、ディスプレイ装置４ａに表示された画像と、ディスプレイ装置４ａの前にいる参加者Ｕａと、参加者Ｕａの前面の空間とを撮影する。カメラ５ａで撮影された画像とマイク６ａで集音された音声とは、送信部８ａから部屋１ｂのテレビ会議端末装置２ｂに送信される。
部屋１ｂのカメラ５ｂは、ディスプレイ装置４ｂに表示された画像と、ディスプレイ装置４ｂの前にいる参加者Ｕｂと、参加者Ｕｂの前面の空間とを撮影する。カメラ５ｂで撮影された画像とマイク６ｂで集音された音声とは、送信部８ｂから部屋１ａのテレビ会議端末装置２ａに送信される。
【００１７】
部屋１ａのディスプレイ装置４ａは、テレビ会議端末装置２ｂの送信部８ｂから送信された画像を受信部３ａを通じて受信して表示し、スピーカ７ａは、送信部８ｂから送信された音声を受信部３ａを通じて受信して出力する。
部屋１ｂのディスプレイ装置４ｂは、テレビ会議端末装置２ａの送信部８ａから送信された画像を受信部３ｂを通じて受信して表示し、スピーカ７ｂは、送信部８ａから送信された音声を受信部３ｂを通じて受信して出力する。
【００１８】
このように、本実施の形態では、各部屋にディスプレイ装置とカメラとを対向させて配置し、さらにマイクとスピーカを配置しており、参加者がいる空間の画像と音声を相互に送信して出力する。参加者はディスプレイ装置を背にしてテレビ会議に参加する。これにより、各参加者はディスプレイ装置に表示された他の参加者と同じ方向を向くので、自分の前面の空間を他の参加者と共有しているように感じ、他の参加者と同じ距離感、同じ方向性を共有することができる。また、部屋１ａ，１ｂ内に図１に示す参加者Ｕａ，Ｕｂ以外に、別の参加者がいる場合、この参加者も参加者とＵａ，Ｕｂと同じ距離感、同じ方向性を共有することができる。なお、ディスプレイ装置を背にしている各参加者は、横を向いたり、時折振り向いたりすることでディスプレイ装置の画像を認識することができる。
【００１９】
本実施の形態では、マイク６ａで集音した音声がスピーカ７ｂから出力され、スピーカ７ｂから出力された音声がマイク６ｂで集音されてスピーカ７ａから出力され、スピーカ７ａから出力された音声が再びマイク６ａで集音されるといったように、音声のループが形成されるため、ハウリングが生じる可能性がある。画像についても同様で、カメラ５ａで撮像された画像がディスプレイ装置４ｂに表示され、ディスプレイ装置４ｂに表示された画像がカメラ５ｂで撮像されてディスプレイ装置４ａに表示され、ディスプレイ装置４ａに表示された画像が再びカメラ５ａで撮像されるといったように、画像のループが形成される。
【００２０】
そこで、音声については、例えばハウリングが比較的発生しやすい周波数帯域の音声レベルを受信部３ａ，３ｂ及び送信部８ａ，８ｂによって抑制するといった方法により、音声のハウリングを回避することができる。また、画像については、ディスプレイ装置４ａ，４ｂに偏光板を使用したり、クロマキー技術で同一画像の重複を取り去ったりすることにより、画像のハウリングを回避することができる。
【００２１】
［第２の実施の形態］
次に、本発明の第２の実施の形態について説明する。図２は、本発明の第２の実施の形態となるテレビ会議システムの構成を示すブロック図である。本実施の形態のテレビ会議システムは、３つの部屋１ａと１ｂと１ｃを相互に結ぶものであり、部屋１ａに配置されたテレビ会議端末装置２ａと、部屋１ｂに配置されたテレビ会議端末装置２ｂと、部屋１ｃに配置されたテレビ会議端末装置２ｃとから構成される。
【００２２】
部屋１ａのカメラ５ａは、ディスプレイ装置４ａに表示された画像と、ディスプレイ装置４ａの前にいる参加者Ｕａと、参加者Ｕａの前面の空間とを撮影する。カメラ５ａで撮影された画像とマイク６ａで集音された音声とは、送信部８ａから部屋１ｂのテレビ会議端末装置２ｂと部屋１ｃのテレビ会議端末装置２ｃに送信される。
部屋１ｂのカメラ５ｂは、ディスプレイ装置４ｂに表示された画像と、ディスプレイ装置４ｂの前にいる参加者Ｕｂと、参加者Ｕｂの前面の空間とを撮影する。カメラ５ｂで撮影された画像とマイク６ｂで集音された音声とは、送信部８ｂから部屋１ａのテレビ会議端末装置２ａと部屋１ｃのテレビ会議端末装置２ｃに送信される。
部屋１ｃのカメラ５ｃは、ディスプレイ装置４ｃに表示された画像と、ディスプレイ装置４ｃの前にいる参加者Ｕｃと、参加者Ｕｃの前面の空間とを撮影する。カメラ５ｃで撮影された画像とマイク６ｃで集音された音声とは、送信部８ｃから部屋１ａのテレビ会議端末装置２ａと部屋１ｂのテレビ会議端末装置２ｂに送信される。
【００２３】
部屋１ａのディスプレイ装置４ａは、テレビ会議端末装置２ｂの送信部８ｂ及びテレビ会議端末装置２ｃの送信部８ｃから送信された画像を受信部３ａを通じて受信して表示し、スピーカ７ａは、送信部８ｂ及び８ｃから送信された音声を受信部３ａを通じて受信して出力する。
部屋１ｂのディスプレイ装置４ｂは、テレビ会議端末装置２ａの送信部８ａ及びテレビ会議端末装置２ｃの送信部８ｃから送信された画像を受信部３ｂを通じて受信して表示し、スピーカ７ｂは、送信部８ａ及び８ｃから送信された音声を受信部３ｂを通じて受信して出力する。
部屋１ｃのディスプレイ装置４ｃは、テレビ会議端末装置２ａの送信部８ａ及びテレビ会議端末装置２ｂの送信部８ｂから送信された画像を受信部３ｃを通じて受信して表示し、スピーカ７ｃは、送信部８ａ及び８ｂから送信された音声を受信部３ｃを通じて受信して出力する。
【００２４】
以上により、３つの地点を接続するテレビ会議システムにおいても、第１の実施の形態と同様の効果を得ることができる。
なお、ディスプレイ装置４ａ，４ｂ，４ｃは、それぞれ他の２つの地点から送信された２つの画像を同時に表示することになるが、このときの表示方法としては、２つの画像にそれぞれ透過率をかけた上で２つの画像を加算処理して表示してもよいし、１つの画像の中にもう１つの画像を表示するスーパーインポーズの手法を用いて表示してもよい。同様に、スピーカ７ａ，７ｂ，７ｃは、それぞれ他の２つの地点から送信された２つの音声を同時に出力することになるが、このときの出力方法としては、２つの音声を加算して出力すればよい。
【００２５】
第１、第２の実施の形態では、２地点の接続又は３地点の接続について説明しているが、これに限るものではなく、より多くの地点を接続するようにしてもよいことは言うまでもない。
また、第１、第２の実施の形態では、全地点のテレビ会議端末装置においてディスプレイ装置とカメラとを対向配置しているが、これに限るものではなく、ディスプレイ装置とカメラの対向配置は特定の第１の地点のみでもよい。この場合、第１の地点以外の他の地点では、撮影した画像を送信部のコンピュータで画像処理して、あたかも対向配置で撮影されたかのように変換した上で送信すればよい。これにより、ディスプレイ装置とカメラの対向配置が１地点のみでも、上記の効果を得ることができる。
【００２６】
［第３の実施の形態］
次に、本発明の第３の実施の形態について説明する。図３は、本発明の第３の実施の形態となるテレビ会議システムの構成を示すブロック図である。本実施の形態のテレビ会議システムは、１つの部屋に受信部（不図示）と、８台のディスプレイ装置４（４−１〜４−８）と、８台のカメラ５（５−１〜５−８）と、マイク６と、スピーカ７と、送信部（不図示）とからなるテレビ会議端末装置２を配置したものである。
【００２７】
本実施の形態では、参加者同士で共有する空間を増やすために、ディスプレイ装置４とカメラ５が多角形（図３の例では正８角形）の各辺を形成するように配置されている。ディスプレイ装置４は全て内側を向いている。図３の例では、記載を容易にするために１地点のみについて記載しているが、各地点間の接続は第１、第２の実施の形態と同様にすればよい。
【００２８】
例えばカメラ５−１で撮像された画像を送信部から多地点のテレビ会議端末装置へ送信して、多地点のディスプレイ装置で表示させ、このディスプレイ装置と対向するように配置された多地点のカメラで撮像された画像を受信部で受信して、この画像をカメラ５−１と対向するディスプレイ装置４−５で表示させるようにすればよい。また、マイク６で集音した音声を送信部から多地点のテレビ会議端末装置へ送信して、多地点のスピーカから出力させ、多地点のマイクで集音された音声を受信部で受信して、スピーカ７から出力させるようにすればよい。
【００２９】
第１、第２の実施の形態では、カメラで撮影できる領域が狭い範囲に留まり、参加者がこの領域から外れると、参加者を撮影できなくなってしまうという欠点がある。これに対して、本実施の形態では、参加者が多角形の内側の空間を移動することができるようになり、各参加者が共有している空間を増やすことができる。ある参加者Ｕ−１は、隣や斜め横、あるいは対向するディスプレイ装置の画像を見たり、他の参加者Ｕ−２，Ｕ−３を見たりすることができる。また、たとえ移動しなくても、参加者が見える範囲が広がった分だけ空間を共有している感覚が増すことになる。
【００３０】
［第４の実施の形態］
次に、本発明の第４の実施の形態について説明する。図４は、本発明の第４の実施の形態となるテレビ会議システムの構成を示すブロック図であり、図３と同様の構成には同一の符号を付してある。第３の実施の形態では、多角形の全ての辺にディスプレイ装置４とカメラ５を配置したが、多角形の辺のうち一部のみにディスプレイ装置４とカメラ５を配置する場合でも、この多角形の内側にいる参加者や他の地点にいる参加者が多角形の内側の空間を共有することは可能である。
【００３１】
図４の例は正８角形の８辺のうち７辺のみにディスプレイ装置４とカメラ５を配置した例であるが、図５に示すように正８角形の８辺のうち５辺のみにディスプレイ装置４とカメラ５を配置してもよい。
【００３２】
ここで、第１の地点で図４のような配置を行い、第２の地点で図５のような配置を行うことを考える。第１の地点では、右辺にディスプレイ装置が配置されていないので、第２の地点では、このディスプレイ装置に対応する位置（図５の左辺）のカメラが不要となる。また、第２の地点では、右辺にカメラが配置されていないので、第１の地点では、このカメラに対応する位置（図４の左辺）のディスプレイ装置４−７に表示する情報が得られない。この場合は、何らかの適切な情報をディスプレイ装置４−７に表示すればよい。ディスプレイ装置よりもカメラの方が設置が容易なので、第２の地点の右辺にカメラを配置することは現実的である。このカメラを配置すれば、第１の地点のディスプレイ装置４−７の表示は当初の意図通り実現できる。
【００３３】
なお、第３、第４の実施の形態においても、第１、第２の実施の形態と同様にディスプレイ装置とカメラの対向配置は特定の第１の地点のみでもよい。第１の地点以外の他の地点では、撮影した画像を送信部のコンピュータで画像処理して、あたかも対向配置で撮影されたかのように変換した上で送信すればよい。
【００３４】
また、第３、第４の実施の形態では、同方向会議と対面会議のどちらかを選択して切り替えることができる。例えば図６（ａ）のように、部屋１ａにディスプレイ装置４ａ−１とカメラ５ａ−１の組と、ディスプレイ装置４ａ−２とカメラ５ａ−２の組とが対向して配置され、一方、部屋１ｂにディスプレイ装置４ｂ−１とカメラ５ｂ−１とが対向して配置されている場合、部屋１ａのテレビ会議端末装置２ａの送信部（不図示）はカメラ５ａ−１で撮影された画像を部屋１ｂのテレビ会議端末装置２ｂに送信し、またテレビ会議端末装置２ａの受信部（不図示）はテレビ会議端末装置２ｂのカメラ５ｂ−１で撮影された画像をディスプレイ装置４ａ−２に表示させるように切り替える。これにより、各地点の参加者が同じ方向を向く同方向会議を実現することができる。
【００３５】
また、図６（ｂ）のように、部屋１ａの内部の配置が図６（ａ）の場合と同じで、部屋１ｂにディスプレイ装置４ｂ−１とカメラ５ｂ−１とが同方向を向くように配置されている場合、部屋１ａのテレビ会議端末装置２ａの送信部（不図示）はカメラ５ａ−１で撮影された画像を部屋１ｂのテレビ会議端末装置２ｂに送信し、またテレビ会議端末装置２ａの受信部（不図示）はテレビ会議端末装置２ｂのカメラ５ｂ−１で撮影された画像をディスプレイ装置４ａ−１に表示させるように切り替える。これにより、各地点の参加者が向き合う対面会議を実現することができる。
【産業上の利用可能性】
【００３６】
本発明は、テレビ会議システムに適用することができる。
【図面の簡単な説明】
【００３７】
【図１】本発明の第１の実施の形態となるテレビ会議システムの構成を示すブロック図である。
【図２】本発明の第２の実施の形態となるテレビ会議システムの構成を示すブロック図である。
【図３】本発明の第３の実施の形態となるテレビ会議システムの構成を示すブロック図である。
【図４】本発明の第４の実施の形態となるテレビ会議システムの構成を示すブロック図である。
【図５】本発明の第４の実施の形態となるテレビ会議システムの他の構成を示すブロック図である。
【図６】本発明の第４の実施の形態におけるディスプレイ装置の切り替えを説明するための図である。
【符号の説明】
【００３８】
１ａ、１ｂ、１ｃ…部屋、２、２ａ、２ｂ、２ｃ…テレビ会議端末装置、３ａ、３ｂ、３ｃ…受信部、４−１〜４−８、４ａ、４ｂ、４ｃ…ディスプレイ装置、５−１〜５−８、５ａ、５ｂ、５ｃ…カメラ、６、６ａ、６ｂ、６ｃ…カメラ、７、７ａ、７ｂ、７ｃ…スピーカ、８ａ、８ｂ、８ｃ…送信部。
【図１】
2006339832.tif 000003
【図２】
2006339832.tif 000004
【図３】
2006339832.tif 000005
【図４】
2006339832.tif 000006
【図５】
2006339832.tif 000007
【図６】
2006339832.tif 000008